(57)【特許請求の範囲】
【請求項１】
交換可能な電池を主電源とし、該電池電圧に基づき機器内の各部へ所定電圧を印加する主電源回路が、該電池電圧の瞬断により動作停止した場合、該動作を復帰させるための電源復帰装置において、クロックと、該クロックのバックアップ電源とを備え、前記主電源回路の動作状態に係わらず前記クロックが所定時間毎に該主電源回路に対し電源オン信号を繰返し出力するようにしたことを特徴とする電源復帰装置。
【発明の詳細な説明】
【０００１】
【発明の属する技術分野】
本発明は、電源回路の瞬断復帰を確実にする電源復帰装置に関する。
【０００２】
【従来技術】
携帯電話機等の携帯機器は電池パックをコネクタで機械的に機器本体に着脱自在に結合し、該電池パックの電池を主電源としている。上記のように電池パックはコネクタで機械的に着脱自在に結合するものなので、機器の振動等で瞬間的にコネクタの金属接続端子同士の接触が外れてしまう現象が生じる。これを瞬断という。電池電圧により所定の電圧を機器各部へ印加する主電源回路は通常、図４（ａ）に示すように電池電源が一旦、電圧値（Ｖ−DET）より下がり再び電圧値（Ｖ−DET）以上の電圧が加わった場合に電源を投入し、ある条件（例えば瞬断判定用のコンデンサの電圧が一定値以上残っていることを、もしくは内部メモリに瞬断状態が記憶されている等）が満たされていれば瞬断していたと判断し、そのまま電源が保持され、正常動作を行う。
【０００３】
このような従来技術は、例えば特開平８−３１４５５２号「電源回路」に記載されている。特開平８−３１４５５２号の発明は、図５にそのブロック図を示すように電源投入スイッチ回路２のスイッチＳＷを投入した時やあるいは電源ＯＮ状態で瞬断が発生すると、電源投入スイッチ回路２のトランジスタスイッチがオンされ電圧検出回路４に電源電圧が供給されてハイインピーダンスとなり微分回路５で微分信号を発生し、トランジスタスイッチ６が一定時間（１００ｍｓ）オンし、主電源回路３を起動する。この起動によりＣＰＵ７に安定化された電源電圧が供給され、ＣＰＵ７は電源保持信号ｉを主電源回路３に出す。以後、この電源保持信号ｉで主電源回路３は駆動される。
【０００４】
【発明が解決しようとする課題】
しかしながら、瞬断が極めて短時間で図４（ｂ）に示すように電池電圧が検出電圧（Ｖ−DET）を下回らずに復帰した場合、電源は切れてしまうが電源投入スイッチ回路２がオンされず電圧検出回路４が働かないため、再び電源が投入されることが無く、切れたままとなってしまう。
【０００５】
本発明は、このような課題に鑑みて、いかなる瞬断に対しても確実に電源復帰をさせる技術を提供するものである。
【０００６】
【課題を解決するための手段】
上記従来技術の課題を解決するために本発明は、交換可能な電池を主電源とし、該電池電圧に基づき機器内の各部へ所定電圧を印加する主電源回路が、該電池電圧の瞬断により動作停止した場合、該動作を復帰させるための電源復帰装置において、クロックと、該クロックのバックアップ電源とを備え、前記主電源回路の動作状態に係わらず前記クロックが所定時間毎に該主電源回路に対し電源オン信号を繰返し出力するようにした。
【０００７】
【発明の実施の形態】
図１は本発明の原理を示すタイミングチャートである。（ａ）は電池電圧、（ｂ）は主電源による供給電圧、（ｃ）はリアルタイムクロック（ＲＴＣ）による電源ＯＮ信号である。ＲＴＣは設定した時刻に信号を出力することができるので、動作中に一定時間Ｔ毎に電源ＯＮ動作を行わせる。即ち、正常動作中であれば、時間Ｔ後に電源ＯＮ動作が行われても既に電源はＯＮ状態であるから動作に変わりはない。また、この時点で現在時刻から時間Ｔ後に自動電源ＯＮ機能が再設定される。この動作を繰返すことで、極めて短時間の瞬断が発生し、主電源回路が停止してしまった場合でも、設定された時刻に電源が投入され、主電源回路は動作復帰する。よって電源が切れたままとなることがない。
【０００８】
図２は、本発明の一実施形態である電源再復帰装置のブロック図で、従来技術で説明した電源回路にＲＴＣ８とバックアップ用コンデンサ９を追加したものである。本例によれば、主電源回路３が電源保持信号ｉで動作している状態で、ＣＰＵ７はＲＴＣ８に時刻設定信号ｊを送る。ＲＴＣ８はＣＰＵ７の時刻設定信号ｊにて設定された一定時間間隔Ｔで目覚まし信号ｈを出力している。このような状態で図４（ｂ）に示す極めて短時間の瞬断が発生すると主電源回路３の駆動停止にともないＣＰＵ７もダウンするが、ＲＴＣ８のみはバックアップ用コンデンサ９により動作し一定時間Ｔ後に目覚まし信号ｈを出力する。既に電池電圧ｌは回復しているので、この目覚まし信号ｈで主電源回路３は再び起動し、したがってＣＰＵ７も復帰し再び電源保持信号ｉにて主電源回路３の動作を維持するものである。
【０００９】
また、他の実施形態としては図３に示すようなロジック回路にも適用できる。図３の例でもＣＰＵ７が電源保持信号ｉを出し、これはＯＲ回路ｄで電源ＯＮ信号ｋとなって主電源回路３を動作させ電池電圧ｌを所定電圧に安定させ各部へ印加する。電池電圧ｌは電池電圧検出回路４で監視されており、図４（ａ）に示す通常の瞬断では電池電圧ｌが復帰すると検出信号ｇが一定時間出力され、これがＯＲ回路ｄを通して主電源回路３をＯＮし、電源が入る。その後、ＣＰＵ７は電源保持信号ｉを出力するので、検出信号ｇがなくなっても電源ＯＮ信号ｋは保持され、電源は入ったままとなる。図４（ｂ）のような極めて単時間の瞬断が発生し電池電圧検出回路４が検出信号ｇを出せない場合は、ＣＰＵ７の電源保持信号ｉも停止してしまうが、ＲＴＣ８から目覚まし信号ｈは主電源回路３の動作状態に関係なく一定時間Ｔ毎に出力されているのでＯＲ回路ｄから電源オン信号ｋが出力され主電源回路３が復帰しＣＰＵ７が復帰する。
【００１０】
【発明の効果】
以上のように本発明は、交換可能な電池を主電源とし、該電池電圧に基づき機器内の各部へ所定電圧を印加する主電源回路が、該電池電圧の瞬断により動作停止した場合、該動作を復帰させるための電源復帰装置において、クロックと、該クロックのバックアップ電源とを備え、前記主電源回路の動作状態に係わらず前記クロックが所定時間毎に該主電源回路に対し電源オン信号を繰返し出力するようにしたので、如何なる瞬断が発生しても確実に電源を復帰させることが可能となる。
【図面の簡単な説明】
【図１】本発明の電源復帰装置の原理を示すタイミングチャート。
【図２】本発明の一実施形態を示す電源復帰装置の回路図。
【図３】本発明の他の一実施形態を示す電源復帰装置の回路図。
【図４】電池電源の瞬断時の検出電圧値を示すもので（ａ）は通常の瞬断時の図、（ｂ）は本発明が対象とする極めて短時間の瞬断時の電池電源電圧を示す図。
【図５】従来の電源復帰装置の回路図。
【符号の説明】
１：電池
２：電源投入スイッチ回路
３：主電源回路
４：電圧検出回路
５：微分回路
６：トランジスタスイッチ
７：制御手段（ＣＰＵ）
８：リアルタイムクロック（ＲＴＣ）
９：バックアップ用コンデンサ
ｄ：ＯＲ回路
ｇ：検出信号
ｈ：目覚まし信号
ｉ：電源保持信号
ｊ：時刻設定信号
ｋ：電源オン信号
ｌ：電池電圧
【図１】
0004309538.tif 000002
【図２】
0004309538.tif 000003
【図３】
0004309538.tif 000004
【図４】
0004309538.tif 000005
【図５】
0004309538.tif 000006